(57)【要約】【課題】  施工時間の短縮が図れるとともに締付け具の紛失や固定ミスを防止することができる、スプリンクラー固定装置を提供する。【解決手段】  互いに平行に配置され且つ隣接した野縁に固定可能な一対の棒状部と、一対の棒状部と野縁との相対的な位置関係を位置決めする位置決め部と、一対の棒状部の間を橋渡しするように一対の棒状部の長手方向の中間に固定され且つスプリンクラー本体が設置される中間部と、を含む固定部材を備え、位置決め部は、野縁にそれぞれに固定される取付金具と、一対の棒状部を取付金具の上面に押付けて固定するレバー式の締付け具と、を有し、締付け具は、一対の棒状部を取付金具の上面に押付けていない状態においても、取付金具に一体的に取り付けられていることを特徴とするスプリンクラー固定装置。【選択図】  図５
2013005979.tif 000002
【特許請求の範囲】
【請求項１】
スプリンクラー本体を、天井パネルを上側から保持する野縁に固定するスプリンクラー固定装置において、
互いに平行に配置され且つ隣接した野縁に固定可能な一対の棒状部と、前記一対の棒状部と前記野縁との相対的な位置関係を位置決めする位置決め部と、前記一対の棒状部の間を橋渡しするように前記一対の棒状部の長手方向の中間に固定され且つ前記スプリンクラー本体が設置される中間部と、を含む固定部材を備え、
前記位置決め部は、前記野縁にそれぞれに固定される取付金具と、前記一対の棒状部を前記取付金具の上面に押付けて固定するレバー式の締付け具と、を有し、前記締付け具は、前記一対の棒状部を前記取付金具の上面に押付けていない状態においても、前記取付金具に一体的に取り付けられていることを特徴とするスプリンクラー固定装置。
【請求項２】
前記取付金具は、前記一対の棒状部が前記長手方向と垂直な方向に移動することを規制する規制部を形成し、
前記締付け具は、前記規制部により規制された前記一対の棒状部を前記取付金具の上面に押付けて固定することを特徴とする請求項１に記載のスプリンクラー固定装置。
【発明の詳細な説明】
【技術分野】
【０００１】
本発明は、スプリンクラー本体を、天井パネルを上側から保持する野縁に固定するスプリンクラー固定装置に関する。
【背景技術】
【０００２】
火災を自動的に検出して天井等から散水することにより火災を抑制するスプリンクラー装置が知られている。スプリンクラー装置は、水を噴射するスプリンクラーヘッドと、スプリンクラーヘッドに水を供給するために天井パネルの上側に通されるスプリンクラー配管と、を有し、天井パネルを上側から支持するために互いに平行に配置された野縁に固定装置を介して固定されている。
【先行技術文献】
【特許文献】
【０００３】
【特許文献１】実公昭５５−２３５６０号公報
【特許文献２】特開平７−１５１２６９号公報
【特許文献３】特開２００３−２１０６０４号公報
【特許文献４】特開２００５−３１９２７８号公報
【発明の概要】
【発明が解決しようとする課題】
【０００４】
例えば、特許文献１では、スプリンクラー配管Ｐが固定される棒状本体１を、連結金具３Ａ、３Ｂ、３Ｃによって軽量溝形鋼Ｓ１、Ｓ２に固定している。しかしながら、連結金具３が棒状本体１に一体的に取り付けられていないので、軽量溝形鋼Ｓ１、Ｓ２に棒状本体１を仮置きした後、連結金具３を棒状本体１の所定位置に取り付けて棒状本体１を軽量溝形鋼Ｓ１、Ｓ２に固定する必要があった。この棒状本体１を軽量溝形鋼Ｓ１、Ｓ２に固定する作業が行われる場所は、作業スペースが狭く視野も限られているので、この作業に予想以上に手間がかかっていた。従って、施工時間の短縮を図ることができず、連結金具３の紛失や固定ミスを防止することができなかった。
【０００５】
本発明が解決しようとする課題は、施工時間の短縮が図れるとともに締付け具の紛失や固定ミスを防止することができる、スプリンクラー固定装置を提供することにある。
【課題を解決するための手段】
【０００６】
本発明のスプリンクラー装置は、スプリンクラー本体を、天井パネルを上側から保持する野縁に固定することを可能にするスプリンクラー固定装置において、互いに平行に配置され且つ隣接した野縁に固定可能な一対の棒状部と、前記一対の棒状部と前記野縁との相対的な位置関係を位置決めする位置決め部と、前記一対の棒状部の間を橋渡しするように前記一対の棒状部の長手方向の中間に固定され前記スプリンクラー本体を設置する中間部と、を含む固定部材を備え、前記位置決め部は、前記野縁にそれぞれに固定される取付金具と、前記一対の棒状部を前記取付金具の上面に押付けて固定するレバー式の締付け具と、を有し、前記締付け具は、前記一対の棒状部を前記取付金具の上面に押付けていない状態においても、前記取付金具に一体的に取り付けられていることを特徴とする。
【０００７】
このような構成とすれば、締付け具が一対の棒状部を取付金具の上面に押付けていない状態においても、締付け具が取付金具に一体的に取り付けられているので、スプリンクラー本体の固定作業の際に、締付け具を所定の位置に取り付ける作業が不要となる。従って、施工時間の短縮が図れるとともに締付け具の紛失や固定ミスを防止することができる。
【０００８】
また、本発明のスプリンクラー固定装置は、上記構成に加え、前記取付金具は、前記一対の棒状部が前記長手方向と垂直な方向に移動することを規制する規制部を形成し、前記締付け具は、前記規制部により規制された前記一対の棒状部を前記取付金具の上面に押付けて固定することを特徴とする。
【０００９】
このような構成とすれば、締付け具を操作するだけで棒状部を安定した状態で取付金具に押付けて固定することができる。
【発明の効果】
【００１０】
本発明により、施工時間の短縮が図れるとともに締付け具の紛失や固定ミスを防止することができる。
【図面の簡単な説明】
【００１１】
【図１】水道連結型スプリンクラー装置の配管の一例の概略図である。
【図２】スプリンクラー装置のための固定構造を示す正面図である。
【図３】図２に示す固定構造の平面図である。
【図４】図２に示す固定構造の斜視図である。
【図５】図２に示す固定構造の拡大斜視図である。
【図６】図２に示す固定構造の固定前の状況を示す斜視図である。
【図７】図６の状況から、天井野縁に位置決め部を載せた状況を示す斜視図である。
【図８】図７の状況から、天井野縁に位置決め部をねじ固定した状況を示す斜視図である。
【図９】図８の状況から、締付け具により位置決め部全体を固定した状況を示す斜視図である。
【図１０】図２に対応する固定構造の断面図である。
【図１１】締付け具の拡大斜視図である。
【図１２】締付け具及び取付金具の拡大斜視図である。
【発明を実施するための形態】
【００１２】
図面を参照して、スプリンクラー装置のための本発明による固定装置の実施形態を説明する。図１は、水道連結型スプリンクラー装置の配管の一例の概略図である。図２は、本発明によるスプリンクラー装置のための固定構造を示す正面図である。図３は、図２に示す固定構造の平面図である。図４は、図２に示す固定構造の斜視図である。図５は、図２に示す固定構造の拡大斜視図である。図１１は、締付け具の拡大斜視図である。図１２は、締付け具及び取付金具の拡大斜視図である。以下、図１〜図５、図１１、図１２に基づいて本発明の実施の形態について説明する。
【００１３】
図１に示すように、水道連結型スプリンクラー装置のための配管１００は、水道管１０１からの分岐管１０２に止水栓１０３を介して取付けられた分岐ヘッダー１０４と、分岐ヘッダー１０４から停滞水防止継手１０５を介してトイレのタンクなど給水栓１０６まで延びるスプリンクラー配管１０７と、停滞水防止継手１０５に取付けられたスプリンクラーヘッド１０８とを有している。スプリンクラー配管１０７は、主に、天井パネル１０９の上側、即ち、天井裏を通っている。
【００１４】
止水栓１０３は常時開であり、トイレの使用のたびに、スプリンクラー配管１０７の中を水が流れ、スプリンクラー装置が火災を感知したとき、停滞水防止継手１０５を介してスプリンクラーヘッド１０８から散水される。
【００１５】
図２〜図５に示すように、スプリンクラー本体１０を、天井パネル４を上側から保持する野縁６、７に固定することを可能にするスプリンクラー固定装置１は、互いに平行に配置され且つ隣接した野縁６、７に固定可能な一対の棒状部１２、１４と、一対の棒状部１２、１４と野縁６、７との相対的な位置関係を位置決めする位置決め部５０と、一対の棒状部１２、１４の間を橋渡しするように一対の棒状部１２、１４の長手方向の中間に固定されスプリンクラー本体１０を設置する中間部２０と、を含む固定部材１６を備えている。
【００１６】
天井パネル４は、例えば、石膏ボード、合板等で作られた厚さが通常は９〜２５ｍｍ程度の板状材である。天井パネル４は、野縁６、７にネジ等によって固定されている。尚、天井パネル４にはスプリンクラー装置２の部屋内への露出用の開口８が設けられており、この開口８は通常直径５０ｍｍ程度の円形の穴である。
【００１７】
野縁６、７は、互いに平行に天井パネル４に沿って延びる複数の棒状の部材である。野縁６、７は様々な材質、形状のものがあるが、本実施の形態ではその中でも金属製で中空の矩形断面状となっていることが好ましい。
【００１８】
固定装置１０は、野縁６、７に固定される１対の棒状部１２、１４を有している。詳細には、一対の棒状部１２、１４は互いに間隔をおいて平行に配置された矩形断面の２本の棒状部材である。棒状部１２、１４は、軽量化のために、中空であることが好ましい。棒状部１２、１４はまた、隣り合った野縁６，７の一方の野縁６の上から他方の野縁７の上に延びている。
【００１９】
また、スプリンクラー固定装置１は、一対の棒状部１２、１４の間を橋渡しするように一対の棒状部１２、１４に固定された中間部２０を有している。中間部２０は、例えば、アルミニウム又は鋼等の板材で作られる。中間部２０は、一対の棒状部１２、１４にねじ留め等の方法で固定されていてもよい。
【００２０】
中間部２０は、スプリンクラー本体１０を固定するための下面２０ａ、上面２０ｂ、及び貫通孔２２を有している。貫通孔２４は、中間部２０の中央付近に設けられている。貫通孔２４は、一対の棒状部１２、１４を橋渡しする方向Ｂに長孔になっていることが好ましい。
【００２１】
スプリンクラー本体１０は、中間部２０の下側に配置されるスプリンクラーヘッド２４と、スプリンクラーヘッド２４に向かって中間部２０の上側から下側に延び且つ中間部２０に固定されるスプリンクラー配管２６と、を有している。詳細には、スプリンクラー配管２４は、大部分が中間部２０の上側に位置した状態で固定された配管接続部３０と、天井パネルに沿って延びる配管部３２を有している。
【００２２】
配管接続部３０は、好ましくは、停滞水防止継手である。停滞水防止継手３０は、概略的には、Ｔ字形をなし、下側に延びる下側管状部分３０ａと、側方に延びる２つの側方管状部分３０ｂとを有している。下側管状部分３０ａは、中間部２０の上面２０ｂと当接する段付き部３０ｃと、且つ中間部２０の貫通孔２４の中を下側に延びる延長部３０ｄを有している。スプリンクラーヘッド２６は、延長部分３０ｄに当接して位置決めされることが好ましい。
【００２３】
また、位置決め部５０は、野縁６，７にそれぞれに固定される取付金具５２と、一対の棒状部１２、１４を取付金具５２の上面に押付けて固定するレバー式の締付け具５６と、を有し、取付金具５２に締付け具５６が一体的に取り付けられている。棒状部１２，１４は、レバー式の締付け具５６によって取付金具５２に、てこの原理により取付金具５２の上面又は野縁６、７の上面に押し付けられて固定されている。レバー式の締付け具５６は、レバーを回動させることによって、棒状部１２，１４を取付金具５２の上面又は野縁６、７の上面に押し付けて固定する種類のものなど簡易な作業により強固に固定できる種類のものであることが好ましい。具体的には、図１１に示すように、締付け具５６は、回動軸線５６ｃを中心に互いに回動可能に取付けられた回動レバー５６ａと、引っ掛け部５６ｂと、を有している。回動レバー５６ａは、回動軸線５６ｃの近くに設けられた脚部５６ｄを有し、それから一方の方向に延びている。
【００２４】
脚部５６ｄは、棒状部１２、１４の上を転動且つ摺動可能である。脚部５６ｄの輪郭は、回動レバー５６ａを上側から棒状部１２、１４に近づけるように回動させたときに、引掛け部５６ｂを引っ張る力が増大するように回動軸線５６ｃと当接箇所との間の距離が増大し、且つ、回動レバー５６ａを更に回動させたときに、かかる距離が減少するように定められている。本実施形態では、回動レバー５６ａが水平方向に向けられたときに、かかる距離は最大になる。
【００２５】
引っ掛け部５６ｂは、折り曲げられた棒材からなり、回動軸線５６ｃ一方の側から下側に延びる第一の側部５６ｅと、回動軸線５６ｃの他方の側から下側に延びる第二の側部５６ｆと、第一の側部の端部と第二の側部の端部とをほぼ横方向に連結するループ部５６ｇとを有している。第一の側部５６ｅ及び第二の側部５６ｆは、Ｊ字型に延び、即ち、回動軸線５６ｃから下側に延びた後、回動レバー５６ａが回動軸線５６ｃから延びる方向と反対方向に少し上側に延びている。尚、回動レバー５６ａ、第１の側部５６ｅ、第２の側部５６ｆ及びループ部５６ｇによって囲まれる空間は、その中を棒状部１２、１４が通り抜けることができる形状及び大きさであることが好ましい。
【００２６】
取付金具５２は、野縁６、７に載せることが可能な水平部５２ｆと、野縁６、７に側方から当接する垂直部５２ｇと、を有している。水平部５２ｆ又は垂直部５２ｇは、取付金具５２を野縁６、７にねじで留めるための取付け孔５２ｄ、５２ｅを有している。
【００２７】
取付金具５２は、更に、一対の棒状部１２、１４を位置決めするための規制部５２ｂ、５２ｃを有している。具体的には、水平部５２ｆから上側に延び且つ間隔をおいて配置された２つの規制部５２ｂ、５２ｃによって構成されている。隣接した規制部５２ｂ、５２ｃの間の距離は、一対の棒状部１２、１４の幅よりも僅かに大きく、かくして、隣接した規制部５２ｂ、５２ｃの間に棒状部１２、１４を配置したときに、棒状部１２、１４が、予め決められたピッチＰに位置決めされる。また、取付金具５２の取付け位置が正確であれば、隣接した規制部５２ｂ、５２ｃの間に一対の棒状部１２、１４を配置したときに、棒状部１２、１４が位置決めされる。なお、取付金具５２は、１枚の板材から形成されていることが好ましい。
【００２８】
本発明の実施形態であるスプリンクラー固定装置では、締付け具５６は、一対の棒状部１２、１４を取付金具５２の上面に押付けていない状態においても、取付金具５２に一体的に取り付けられているので、締付け具５６が一対の棒状部１２、１４を取付金具５２の上面に押付けていない状態においても、締付け具５６が取付金具５２に一体的に取り付けられているので、スプリンクラー本体の固定作業の際に、締付け具５６を所定の位置に取り付ける作業が不要となる。従って、施工時間の短縮が図れるとともに締付け具５６の紛失や固定ミスを防止することができるようになる。
【００２９】
また、本発明の実施形態であるスプリンクラー固定装置では、取付金具５２は、一対の棒状部１２、１４が長手方向と垂直な方向に移動することを規制する規制部５２ｂ、５２ｃを形成し、締付け具５６は、規制部５２ｂ、５２ｃにより規制された一対の棒状部１２、１４を取付金具５２の上面に押付けて固定するので、取付金具５２に一体的に取り付けられている締付け具５６が、規制部５２ｂ、５２ｃにより規制された一対の棒状部１２、１４を取付金具５２の上面に安定した状態で押付けて固定することが可能となる。従って、レバー式の締付け部を操作するだけで容易に棒状部を取付金具５２に押付けて固定することができるようになる。
【００３０】
続いて、スプリンクラー固定装置１を野縁６、７に固定する手順の一例を説明する。
まず、図６に示すように、スプリンクラー固定装置１を設置する箇所を、隣接した野縁６、７の間におおよそ決定し、スプリンクラー装置２の部屋内への露出用の穴である開口８を開ける。次に、図７に示すように、棒状部１２、１４、中間部２０、取付金具５２および未固定状態の締付け具５６を仮組みして野縁６、７に仮置きした後、中間部２０の貫通孔２４がスプリンクラー装置２からの散水のために形成された開口８の垂直位置に位置するよう調整し、取付金具５２を固定ねじ５３により水平部５２ｆ又は垂直部５２ｇに形成された取付孔５２ｄ、５２ｅを通して、野縁６、７にねじ止めする。棒状部１２、１４を隣接した野縁の一方６の側から他方７の側に延びるように野縁６、７の上に載せるとき、棒状部１２、１４の両端部を取付金具５２の規制部５２ｂ、５２ｃによって、棒状部１２、１４が取付金具５２に対して位置決めされると共に、棒状部１２、１４の移動が阻止される。これにより、棒状部１２、１４の野縁６への位置決めが一層容易になる。
【００３１】
次に、中間部２０の貫通孔２４の中心と開口８の中心が一致していることを確認し、必要であれば一致するよう調整した上で、図９に示すように、締付け具５６を固定状態に回動させ、棒状部１２、１４、中間部２０を野縁６、７に固定する。締付け具５６が一対の棒状部１２、１４を取付金具５２の上面に押付けていない状態においても、締付け具５６が取付金具５２に一体的に取り付けられているので、スプリンクラー本体の固定作業の際に、締付け具５６を所定の位置に取り付ける作業が不要となる。また、締付け具５６の回動レバー５６ａが水平方向を越えて下側に回動していることを視認できれば、棒状部１２、１４が予め設計された力で取付金具５２に押付けられていることを容易に確認することができる。次に、図１０に示すように、スプリンクラー配管２６を停滞水防止継手３０に接続し、スプリンクラーヘッド２４を停滞水防止継手３０に接続してスプリンクラー装置の設置が完了となる。
【００３２】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【符号の説明】
【００３３】
１                スプリンクラー固定装置
４                天井パネル
６、７            野縁
８                開口
１０              スプリンクラー本体
１２、１４        一対の棒状部
１６              固定部材
２０              中間部
２０ａ            下面
２０ｂ            上面
２２              貫通孔
２４              スプリンクラーヘッド
２６              スプリンクラー配管
３０              配管接続部
３０ａ            下側管状部分
３０ｂ            側方管状部分
３０ｃ            段付き部
３２              配管部
５０              位置決め部
５２              取付金具
５２ｂ、５２ｃ    規制部
５２ｄ、５２ｅ    取付け孔
５２ｆ            水平部
５２ｇ            垂直部
５３              固定ねじ
５６              締付け具
５６ａ            回動レバー
５６ｂ            引っ掛け部
５６ｃ            回動軸線
５６ｄ            脚部
５６ｅ            第一の側部
５６ｆ            第二の側部
５６ｇ            ループ部
１００            配管
１０１            水道管
１０２            分岐管
１０３            止水栓
１０４            分岐ヘッダー
１０５            停滞水防止継手
１０６            給水栓
１０７            スプリンクラー配管
１０８            スプリンクラー本体
１０９            天井パネル
【図１】
2013005979.tif 000003
【図２】
2013005979.tif 000004
【図３】
2013005979.tif 000005
【図４】
2013005979.tif 000006
【図５】
2013005979.tif 000007
【図６】
2013005979.tif 000008
【図７】
2013005979.tif 000009
【図８】
2013005979.tif 000010
【図９】
2013005979.tif 000011
【図１０】
2013005979.tif 000012
【図１１】
2013005979.tif 000013
【図１２】
2013005979.tif 000014